(57)【要約】【課題】  本発明の目的は、ユーザによって累積されたコンテンツ情報に基づいて信頼性のあるコンテンツ情報を送受信するためのコンテンツ情報伝送方法、コンテンツ推薦方法、コンテンツ推薦情報に対する信頼度の提供方法及びこれを用いたマルチメディアデバイスを提供することにある。【解決手段】  コンテンツ情報伝送方法、コンテンツ推薦方法、コンテンツ推薦情報に対する信頼度の提供方法及びこれを用いたマルチメディアデバイスが開示される。本コンテンツ情報伝送方法によると、ユーザにより入力されたコンテンツ情報に基づいて、受信されたコンテンツ情報を更新して伝送するようになる。これにより、ユーザによって累積されたコンテンツ情報を受信することにより、受信されたコンテンツ情報の信頼性が保障されるようにできる。また、サーバを介さずにユーザ間で直接コンテンツ情報を送受信することにより、Ｓｏｃｉａｌ  Ｎｅｔｗｏｒｋ  Ｓｅｒｖｉｃｅを提供することができるようになる。【選択図】      図２
2010268447.tif 000002
【特許請求の範囲】
【請求項１】
ユーザにより入力されたコンテンツ情報を用いて、第１デバイスから受信されたコンテンツ情報を更新するステップと、
前記更新されたコンテンツ情報を第２デバイスに伝送するステップと、
を含むコンテンツ情報伝送方法。
【請求項２】
前記コンテンツ情報は、
コンテンツに対してレベル化した、評点情報、推薦度情報、信頼度情報、品質情報および視聴等級情報のうち少なくとも一つを含むことを特徴とする請求項１に記載のコンテンツ情報伝送方法。
【請求項３】
前記更新ステップは、
前記入力されたコンテンツ情報及び少なくとも一つの第１デバイスから順次に更新され受信されたコンテンツ情報を用いて、前記第１デバイスから受信されたコンテンツ情報を更新することを特徴とする請求項１に記載のコンテンツ情報伝送方法。
【請求項４】
前記少なくとも一つの第１デバイスから順次に更新されたコンテンツ情報は、前記少なくとも一つの第１デバイスに順次に入力されたコンテンツ情報を平均化して更新したコンテンツ情報であり、
前記更新ステップは、
前記ユーザにより入力されたコンテンツ情報と前記順次に更新され受信されたコンテンツ情報を平均化して、前記順次に更新され受信されたコンテンツ情報を更新することを特徴とする請求項３に記載のコンテンツ情報伝送方法。
【請求項５】
前記伝送ステップは、
Ｐ２Ｐ方式に従って、前記第２デバイスのＩＰアドレスに前記更新されたコンテンツ情報を直接伝送することを特徴とする請求項１に記載のコンテンツ情報伝送方法。
【請求項６】
前記伝送ステップは、
前記更新されたコンテンツ情報を受信することができるデバイスをリストでディスプレイするステップと、
前記更新されたコンテンツ情報を、前記リストから選択された前記第１デバイスに伝送するステップと、
を含むことを特徴とする請求項１に記載のコンテンツ情報伝送方法。
【請求項７】
前記コンテンツ情報は、放送コンテンツに対する情報を含み、
前記第１デバイスから受信された放送コンテンツに対する情報をＥＰＧ画面に表示するステップを更に含むことを特徴とする請求項１に記載のコンテンツ情報伝送方法。
【請求項８】
前記コンテンツ情報は、放送コンテンツに対する評点情報を含み、
前記評点情報に基づいて、同一時間帯に放送される放送コンテンツを整列するステップを更に含むことを特徴とする請求項１に記載のコンテンツ情報伝送方法。
【請求項９】
前記コンテンツ情報は、
放送コンテンツに対する情報であって、放送中のコンテンツ、放送されたコンテンツ及び放送予定のコンテンツのうち少なくとも一つに対する情報を含むことを特徴とする請求項１に記載のコンテンツ情報伝送方法。
【請求項１０】
前記伝送ステップは、
前記更新されたコンテンツ情報を複数の第２デバイスに共に伝送するか、複数のコンテンツに対する複数の更新されたコンテンツ情報を第２デバイスに共に伝送するステップを含むことを特徴とする請求項１に記載のコンテンツ情報伝送方法。
【請求項１１】
前記第１デバイスから受信されたコンテンツ情報は、少なくとも一つのピアデバイスによって累積され生成されたコンテンツ推薦情報及び前記コンテンツ推薦情報に対する信頼度が分るようにするための前記少なくとも一つのピアデバイスの数を含むことを特徴とする請求項１に記載のコンテンツ情報伝送方法。
【請求項１２】
コンテンツ情報を送受信するためのインターフェースと、
ユーザにより入力されたコンテンツ情報を用いて第１デバイスから受信されたコンテンツ情報が更新されるようにし、前記更新されたコンテンツ情報が第２デバイスに伝送されるようにする制御部と、
を含むマルチメディアデバイス。
【請求項１３】
前記制御部は、
前記入力されたコンテンツ情報及び少なくとも一つの第１デバイスから順次に更新され受信されたコンテンツ情報を用いて、前記第１デバイスから受信されたコンテンツ情報が更新されるようにすることを特徴とする請求項１２に記載のマルチメディアデバイス。
【請求項１４】
前記マルチメディアデバイスは、放送局または外部デバイスから放送コンテンツを受信して出力するための放送出力装置を含み、
前記制御部は、
前記第１デバイスから受信された放送コンテンツに対する情報がＥＰＧ画面に表示されるようにすることを特徴とする請求項１２に記載のマルチメディアデバイス。
【請求項１５】
前記制御部は、
前記更新されたコンテンツ情報が複数の第２デバイスに共に伝送されるか、複数のコンテンツに対する複数の更新されたコンテンツ情報が第２デバイスに共に伝送されるようにすることを特徴とする請求項１２に記載のマルチメディアデバイス。
【発明の詳細な説明】
【技術分野】
【０００１】
本発明は、コンテンツ情報伝送方法、コンテンツ推薦方法、コンテンツ推薦情報に対する信頼度の提供方法及びこれを用いたマルチメディアデバイスに関し、より詳細には、受信されたコンテンツ情報を更新して伝送するコンテンツ情報伝送方法、コンテンツ推薦方法、コンテンツ推薦情報に対する信頼度の提供方法及びこれを用いたマルチメディアデバイスに関する。
【背景技術】
【０００２】
近年、マルチメディアコンテンツを受信して再生するためのマルチメディアデバイスは多様化及び多機能化されており、これにより、ユーザがいつどこでもマルチメディアコンテンツを受信して視聴できるようにしている。また、マルチメディアデバイスの多様化及び多機能化と共にマルチメディアコンテンツを提供するサービスの種類とサービス提供者の数もますます増えている。
【０００３】
このように、マルチメディアコンテンツの供給量が多くなっているため、ユーザはマルチメディアコンテンツに対する情報を一々把握して視聴することが困難である実情であり、ＰＣ（Ｐｅｒｓｏｎａｌ  Ｃｏｍｐｕｔｅｒ）や電話を用いてマルチメディアコンテンツに対する情報を収集できるだけである。
【０００４】
放送コンテンツにおけるこのような問題を解決する方案として、多様な放送コンテンツ情報を提供する電子プログラムガイド（Ｅｌｅｃｔｒｏｎｉｃ  Ｐｒｏｇｒａｍ  Ｇｕｉｄｅ：ＥＰＧ）サービスが常用化されているが、ＥＰＧは放送コンテンツに対する一部の客観的な情報のみを提供し、放送コンテンツを既に視聴したユーザの具体的で率直した主観的な見解が排除されるという問題がある。
【０００５】
また、放送コンテンツに対する専門家の見解や評論などについて提供するサービスも常用化されているが、これもまた専門家一部の見解に過ぎないため、信頼性が弱いという問題が存在する。
【０００６】
従って、多数のマルチメディアコンテンツの中で、ユーザがより簡便で容易にマルチメディアコンテンツを選択し、更には、より信頼性をもってマルチメディアコンテンツを選択できるようにする方案の模索が要請されている。
【先行技術文献】
【特許文献】
【０００７】
【特許文献１】韓国特許公開第２００２−００７３０５０号公報
【発明の概要】
【発明が解決しようとする課題】
【０００８】
そこで、本発明は、上記問題に鑑みてなされたものであり、本発明の目的とするところは、ユーザによって累積されたコンテンツ情報に基づいて信頼性のあるコンテンツ情報を送受信するためのコンテンツ情報伝送方法、コンテンツ推薦方法、コンテンツ推薦情報に対する信頼度の提供方法及びこれを用いたマルチメディアデバイスを提供することにある。
【課題を解決するための手段】
【０００９】
上記の目的を達成するための本発明の一実施形態にかかるコンテンツ情報伝送方法は、ユーザにより入力されたコンテンツ情報を用いて、第１デバイスから受信されたコンテンツ情報を更新するステップと、前記更新されたコンテンツ情報を第２デバイスに伝送するステップと、を含む。
【００１０】
ここで、前記コンテンツ情報は、コンテンツに対してレベル化した、評点情報、推薦度情報、信頼度情報、品質情報および視聴等級情報のうち少なくとも一つを含むことができる。
【００１１】
また、前記更新ステップは、前記入力されたコンテンツ情報及び少なくとも一つの第１デバイスから順次に更新され受信されたコンテンツ情報を用いて、前記第１デバイスから受信されたコンテンツ情報を更新することができる。
【００１２】
そして、前記少なくとも一つの第１デバイスから順次に更新されたコンテンツ情報は、前記少なくとも一つの第１デバイスに順次に入力されたコンテンツ情報を平均化して更新したコンテンツ情報であり、前記更新ステップは、前記ユーザにより入力されたコンテンツ情報と前記順次に更新され受信されたコンテンツ情報を平均化して、前記順次に更新され受信されたコンテンツ情報を更新することができる。
【００１３】
また、前記伝送ステップは、Ｐ２Ｐ方式に従って、前記第２デバイスのＩＰアドレスに前記更新されたコンテンツ情報を直接伝送することができる。
【００１４】
そして、前記伝送ステップは、前記更新されたコンテンツ情報を受信することができるデバイスをリストでディスプレイするステップと、前記更新されたコンテンツ情報を、前記リストから選択された前記第１デバイスに伝送するステップと、を含むことができる。
【００１５】
また、前記コンテンツ情報は、放送コンテンツに対する情報を含み、本発明の一実施形態にかかるコンテンツ情報伝送方法は、前記第１デバイスから受信された放送コンテンツに対する情報をＥＰＧ画面に表示するステップを更に含むことができる。
【００１６】
そして、前記コンテンツ情報は、放送コンテンツに対する評点情報を含み、本発明の一実施形態にかかるコンテンツ情報伝送方法は、前記評点情報に基づいて、同一時間帯に放送される放送コンテンツを整列するステップを更に含むことができる。
【００１７】
また、前記コンテンツ情報は、放送コンテンツに対する情報であり、放送中のコンテンツ、放送されたコンテンツ及び放送予定のコンテンツのうち少なくとも一つに対する情報を含むことができる。
【００１８】
そして、前記伝送ステップは、前記更新されたコンテンツ情報を複数の第２デバイスに共に伝送するか、複数のコンテンツに対する複数の更新されたコンテンツ情報を第２デバイスに共に伝送するステップを含むことができる。
【００１９】
一方、上記の目的を達成するための本発明の一実施形態にかかるコンテンツ推薦方法は、コンテンツを推薦するための入力された情報に基づいて、前記コンテンツに対して推薦された情報を更新するステップと、前記更新された情報を伝送して前記コンテンツを推薦するステップと、を含む。
【００２０】
一方、前記目的を達成するための本発明の一実施形態にかかるコンテンツ推薦情報に対する信頼度の提供方法は、少なくとも一つのピアデバイスによって累積されて生成された推薦情報を提供するステップと、前記コンテンツ推薦情報に対する信頼度が分るように、前記少なくとも一つのピアデバイスの数を提供するステップと、を含む。
【００２１】
一方、前記目的を達成するための本発明の一実施形態にかかるマルチメディアデバイスは、コンテンツ情報を送受信するためのインターフェースと、ユーザにより入力されたコンテンツ情報を用いて第１デバイスから受信されたコンテンツ情報が更新されるようにし、前記更新されたコンテンツ情報が第２デバイスに伝送されるようにする制御部と、を含む。
【００２２】
ここで、前記コンテンツ情報は、コンテンツに対してレベル化した、評点情報、推薦度情報、信頼度情報、品質情報および視聴等級情報のうち少なくとも一つを含むことができる。
【００２３】
そして、前記制御部は、前記入力されたコンテンツ情報及び少なくとも一つの第１デバイスから順次に更新され受信されたコンテンツ情報を用いて、前記第１デバイスから受信されたコンテンツ情報が更新されるようにすることができる。
【００２４】
また、前記少なくとも一つの第１デバイスから順次に更新されたコンテンツ情報は、前記少なくとも一つの第１デバイスに順次に入力されたコンテンツ情報を平均化して更新したコンテンツ情報であり、前記制御部は、前記ユーザにより入力されたコンテンツ情報と前記順次に更新され受信されたコンテンツ情報を平均化して、前記順次に更新され受信されたコンテンツ情報が更新されるようにすることができる。
【００２５】
そして、前記制御部は、Ｐ２Ｐ方式に従って、前記第２デバイスのＩＰアドレスに前記更新されたコンテンツ情報が直接伝送されるようにすることができる。
【００２６】
また、本発明の一実施形態にかかるマルチメディアデバイスは、前記更新されたコンテンツ情報を受信することができるデバイスをリストでディスプレイするディスプレイ部を更に含み、前記制御部は、前記更新されたコンテンツ情報が、前記リストから選択された前記第１デバイスに伝送されるようにすることができる。
【００２７】
そして、前記マルチメディアデバイスは、放送局または外部デバイスから放送コンテンツを受信して出力するための放送出力装置を含み、前記制御部は、前記第１デバイスから受信された放送コンテンツに対する情報がＥＰＧ画面に表示されるようにすることができる。
【００２８】
また、前記コンテンツ情報は、放送コンテンツに対する評点情報を含み、前記制御部は、前記評点情報に基づいて、同一時間帯に放送される放送コンテンツが整列されるようにすることができる。
【００２９】
前記コンテンツ情報は、放送コンテンツに対する情報であり、放送中のコンテンツ、放送されたコンテンツ及び放送予定のコンテンツのうち少なくとも一つに対する情報を含むことができる。
【００３０】
また、前記制御部は、前記更新されたコンテンツ情報が複数の第２デバイスに共に伝送されるか、複数のコンテンツに対する複数の更新されたコンテンツ情報が第２デバイスに共に伝送されるようにすることができる。
【図面の簡単な説明】
【００３１】
【図１】本発明の一実施形態にかかるＴＶを示すブロック図である。
【図２】本発明の一実施形態にかかるコンテンツ情報伝送方法の説明に提供されるフローチャートである。
【図３Ａ】本発明の一実施形態にかかる放送推薦のための画面を示す図である。
【図３Ｂ】本発明の一実施形態にかかる放送推薦のための画面を示す図である。
【図３Ｃ】本発明の一実施形態にかかる放送推薦のための画面を示す図である。
【発明を実施するための形態】
【００３２】
以下では、図面を参照して本発明をより詳細に説明する。
【００３３】
図１は、本発明の一実施形態にかかるＴＶ１００を示すブロック図である。図１では、説明の便宜のため、ＴＶ１００とインターネット１０を共に示した。本ＴＶ１００はインターネット１０を介して外部デバイスから放送コンテンツに対する情報（以下、「コンテンツ情報」と総称する）を受信する。
【００３４】
図示のように、ＴＶ１００は、放送受信部１１０、放送処理部１２０、ＧＵＩ（Ｇｒａｐｈｉｃａｌ  Ｕｓｅｒ  Ｉｎｔｅｒｆａｃｅ）処理部１３０、放送表示部１４０、ネットワークインターフェース１５０、制御部１６０、保存部１７０、及びリモコン受信部１８０から構成される。
【００３５】
放送受信部１１０は、公衆波、ケーブルまたは衛星などを介して有線または無線で受信される放送のうち一つを復調する。
【００３６】
放送処理部１２０は、放送受信部１１０または制御部１６０を介して入力される映像信号及び音声信号に対して、ビデオデコーディング、ビデオスケーリング、オーディオデコーディングなどの信号処理を行う。そして、放送処理部１２０は、信号処理された映像信号及び音声信号をＧＵＩ処理部１３０に伝達する。
【００３７】
ＧＵＩ処理部１３０は、ディスプレイに表示されたＧＵＩを生成し、生成されたＧＵＩを放送処理部１２０から出力される放送コンテンツが表示される画面に付加する。具体的に、ＧＵＩ処理部１３０は、ユーザからコンテンツ情報に対する出力への要請があったり、インターネット１０を介して外部デバイスからコンテンツ情報を受信した場合、コンテンツ情報に対応するＧＵＩを生成し、生成されたＧＵＩを画面に生成する。
【００３８】
コンテンツ情報とは、概略的には、前述のように放送コンテンツに対する情報を意味し、具体的には、放送コンテンツに対する評点、推薦度、信頼度、品質、視聴等級などに対してレベル化した情報を意味する。
【００３９】
たとえば、「Ａ」コンテンツに対するコンテンツ情報は、星印３つ、６０％または３点などの数値でレベル化した情報になることができ、このようにレベル化した情報は、評点、推薦度、信頼度、品質、視聴等級のうち一つを示すことができる。
【００４０】
また、外部デバイスから受信されたコンテンツ情報は、少なくとも一つの外部デバイスから順次に入力されたコンテンツ情報が平均化され受信された情報である。たとえば、第１外部デバイスが３点という評点をい入力してコンテンツ情報を生成した後、生成されたコンテンツ情報を第２外部デバイスに伝送し、第２外部デバイスが１点という評点を入力してコンテンツ情報を更新した後、更新されたコンテンツ情報をＴＶ１００に伝送した場合を想定することにする。この場合、第２外部デバイスから受信されるコンテンツ情報は、２つの外部デバイスから入力された評点が平均化された２点という情報になる。
【００４１】
より具体的に、第１外部デバイスは入力された３点という評点を第２外部デバイスに伝送し、第２外部デバイスは入力された１点という評点と第１外部デバイスから受信された３点という評点とを平均した２点という評点をＴＶ１００に伝送することになり、これにより、ＴＶ１００は、特定の放送コンテンツに対して２点の評点というコンテンツ情報を得ることができるようになる。
【００４２】
このとき、第２外部デバイスとＴＶ１００は平均化されたコンテンツ情報とともに、平均化されたコンテンツ情報がいくつの外部デバイスを経て平均化されたものであるかに対する情報を一緒に受信することができる。例えば、ＴＶ１００は、評点が２点というコンテンツ情報とともに、このようなコンテンツ情報が２つの外部デバイスによって平均化された情報であるという情報を受信することができる。
【００４３】
これにより、ＴＶ１００が別途の外部デバイスへコンテンツ情報を伝送するとき、ＴＶ１００によって入力されたコンテンツ情報まで平均化したコンテンツ情報を伝送することができる。また、ＴＶ１００もいくつのデバイスを経て平均化されたものであるかに対する情報を一緒に伝送することになる。たとえば、ＴＶ１００が５点という評点を入力した場合、ＴＶ１００は第２外部デバイスから受信されたコンテンツ情報（評点２点というコンテンツ情報）を評点３点（３点＋１点＋５点）/３つのデバイス）というコンテンツ情報に更新し、更新された評点３点というコンテンツ情報と３つのデバイスによって平均化されたコンテンツ情報であるという情報を第３外部デバイスに伝送することができる。
【００４４】
このように、コンテンツ情報が複数のデバイスによって累積されて生成されることにより、コンテンツ情報の信頼性がより確実に保障されることになる。さらに、平均を生成するデバイスの個数が伝送されるため、ユーザは平均値が適切であるか否かを評価することができる。
【００４５】
放送表示部１４０は、ＧＵＩ処理部１３０でＧＵＩが付加された放送コンテンツに対する画面をディスプレイし、スピーカを介して音声を出力させる。
【００４６】
ネットワークインターフェース１５０は、ＴＶ１００がインターネット１０を介して外部サーバまたは外部デバイスと通信するための接続通路の役割をする。具体的に、ネットワークインターフェース１５０は、インターネット１０を介して外部サーバと通信して外部サーバから放送コンテンツなどを受信し、インターネットを介して外部デバイスと通信して外部デバイスからコンテンツ情報を受信するための役割をする。
【００４７】
ここで、外部サーバは、インターネット１０を介して加入者にＩＰＴＶ放送コンテンツを提供するＩＰＴＶ放送サービスサーバであってもよい。従って、ＴＶ１００はネットワークインターフェース１５０を介してＩＰＴＶ放送サービスサーバが提供するＩＰＴＶ放送コンテンツを受信し、受信されたＩＰＴＶ放送コンテンツを再生して加入者に提供することができるようになる。
【００４８】
また、外部デバイスは、ＩＰＴＶ放送サービスサーバからＩＰＴＶ放送コンテンツを提供される加入者であってもよい。ＴＶ１００は、ネットワークインターフェース１５０を介してこのような外部デバイスから提供されるコンテンツ情報を直接受信し、受信されたコンテンツ情報に対応するＧＵＩが画面に表示されるようにし、ユーザがコンテンツ情報を獲得できるようにする。具体的に、ＴＶ１００は、ＩＰＴＶ放送サービスサーバなどの別途サーバを介さずに、Ｐ２Ｐ方式に従って外部デバイスからコンテンツ情報を直接受信することができる。
【００４９】
ここで、外部デバイスがＴＶ１００を選定してコンテンツ情報を伝送する方法としては、外部デバイスがＴＶ１００のＩＰアドレスを直接入力して選定する方法、外部デバイスに予め保存されたピアリストのうちＴＶ１００を選択して選定する方法などがあり得る。
【００５０】
保存部１７０は、放送コンテンツ及びコンテンツ情報が保存される保存媒体であって、メモリ、ＨＤＤ（Ｈａｒｄ  Ｄｉｓｋ  Ｄｒｉｖｅ）等で実現可能である。
【００５１】
リモコン受信部１８０は、リモコンから受信されるユーザ命令を制御部１６０に伝達し、制御部１６０はリモコン受信部１８０から伝達されたユーザ命令に従ってＴＶ１００の全般的な動作を制御する。
【００５２】
特に、制御部１６０は、放送受信部１１０に受信された放送コンテンツ又はインターネット１０を介してＩＰＴＶ放送サービスサーバから受信された放送コンテンツが画面に表示されるように放送処理部１２０及びＧＵＩ処理部１３０を制御し、インターネット１０を介して外部デバイスから受信されたコンテンツ情報に対応するＧＵＩが画面に表示されるようにＧＵＩ処理部１３０を制御する。
【００５３】
また、制御部１６０は、リモコン受信部１８０を介して放送コンテンツに対するコンテンツ情報が入力されると、入力されたコンテンツ情報を用いて外部デバイスから受信されたコンテンツ情報を更新し、更新されたコンテンツ情報が別途の外部デバイスに伝送されるようにできる。
【００５４】
たとえば、外部デバイスから受信されたコンテンツ情報が特定の放送コンテンツに対する評点として４点という点数を示し、このような外部デバイスから受信されたコンテンツ情報は２人の加入者、すなわち、２つの外部デバイスから順次に更新されＴＶ１００に受信されたコンテンツ情報である場合を想定することにする。このとき、ユーザがリモコン受信部１８０を介して放送コンテンツに対する評点として１点という点数を入力することになると、放送コンテンツは計３人の加入者によって総点９点という点数を得た結果となる。従って、制御部１６０は、これを平均化して３点という点数、すなわち、３点というコンテンツ情報に更新し、更新されたコンテンツ情報を別途の外部デバイスに伝送することができるようになる。
【００５５】
以下では、図１に示されたＴＶ１００にコンテンツ情報が提供される過程について、図２を参照して詳細に説明する。図２は、本発明の一実施形態にかかるコンテンツ情報伝送方法の説明に提供されるフローチャートである。
【００５６】
図示のように、ＡがＡのＴＶに特定の放送コンテンツに対するコンテンツ情報を入力し（Ｓ２１０）、このような放送コンテンツをＢに推薦するようになると（Ｓ２２０）、ＢのＴＶはＡのＴＶからコンテンツ情報を受信するようになる（Ｓ２３０）。たとえば、Ａが５点というコンテンツ情報を入力してこれを推薦すると、ＢのＴＶは５点というコンテンツ情報を受信するようになるのである。
【００５７】
Ｂが放送コンテンツに対して自分の考えた評点をコンテンツ情報としてＢのＴＶに入力するようになると（Ｓ２３２）、コンテンツ情報を入力されたＢのＴＶは入力されたコンテンツ情報を用いてＡのＴＶから受信されたコンテンツ情報を更新するようになる（Ｓ２３４）。たとえば、Ｂが３点というコンテンツ情報を入力した場合、ＢのＴＶはＡのＴＶから受信されたコンテンツ情報を４点に平均化して平均化されたコンテンツ情報に更新するようになる。
【００５８】
この後、Ｂがこのような放送コンテンツをＣに推薦するようになると（Ｓ２４０）、ＣのＴＶはＢのＴＶからコンテンツ情報を受信するようになる（Ｓ２５０）。従って、Ｃは放送コンテンツの評点が４点であるということが分るようになる。
【００５９】
Ｃが放送コンテンツに対して自分の考えた評点をコンテンツ情報としてＣのＴＶに入力するようになると（Ｓ２５２）、コンテンツ情報を入力されたＣのＴＶは入力されたコンテンツ情報を用いてＢのＴＶから受信されたコンテンツ情報を更新するようになる（Ｓ２５４）。たとえば、Ｃが４点というコンテンツ情報を入力した場合、ＣのＴＶはＢのＴＶから受信されたコンテンツ情報を４点に平均化して平均化されたコンテンツ情報に更新するようになる。
【００６０】
このように累積された推薦方式を通じて、Ｚはより確実で信頼性のあるコンテンツ情報を受信することができるようになる（Ｓ２７０）。
【００６１】
図３Ａ乃至図３Ｃは、本発明の一実施形態にかかる放送推薦のための画面を示す図である。特に、図３Ａは放送を推薦するための画面である。
【００６２】
図３Ａに示すように、画面の右側には現在視聴中の放送コンテンツ３１０が表示され、画面の左側には現在視聴中の放送コンテンツを推薦するためのメニューウィンドウ３２０が表示される。
【００６３】
メニューウィンドウ３２０には推薦する放送コンテンツに対するタイトル、プロット、放送時間、放送チャネルなどの内容が表示され、これとともに評点情報３３０、推薦対象３４０に対する内容が表示される。
【００６４】
評点情報３３０には“星印３つ”が表示され、放送コンテンツに対してユーザが入力した評点または更新された評点をユーザが分るように提供し、これとともに、“（７）”が表示され、累積されてきたユーザの数をユーザが分るように提供する。
【００６５】
また、推薦対象３４０には放送コンテンツを推薦しようとするピアに対する内容が表示され、ユーザがリモコンの操作などを通じて、推薦しようとするピアを変更できるようになる。
【００６６】
勿論、本実施形態においては、推薦しようとする一つのピアに対する名称が表示されているが、複数のピアに対して放送コンテンツを推薦する場合、複数のピアに対する名称が表示されてもよく、複数のピアに対してグループ化された場合、グループに対する名称が表示されてもよいことは勿論である。更に、本実施形態にかかる放送推薦は、別途のサーバを介さずにＰ２Ｐ方式に従ってコンテンツ情報を伝送して放送を推薦するため、ピアのＩＰアドレスがピアの名称とマッチングして予め保存されている場合にはピアの名称が直接表示され得るが、逆にピアのＩＰアドレスがピアの名称とマッチングして保存されていない場合、ピアのＩＰアドレスを直接入力できるようにするウィンドウが表示されたり、名称でなくＩＰアドレスが表示されるようにできることは勿論である。
【００６７】
図３Ｂは、推薦された放送が受信された画面である。推薦された放送が受信されると、図示のように、画面の一側に新しい推薦放送が到着したというメッセージ３５０が表示され、推薦放送を視聴するためのユーザの要請が入力されると、画面に推薦された放送が表示されるようになる。
【００６８】
一方、図３Ｃは、放送を再推薦するための画面である。放送を推薦されたユーザがこれを他のユーザに再推薦しようとする場合のために、メニューウィンドウ３２０には“再推薦する”というアイテム３６０が表示され、ユーザはこのようなアイテム３６０を選択して自分の評点を入力し、入力された評点に基づいて推薦されたユーザから受信した評点を更新し、更新された評点を他のユーザに伝送することができるようになる。
【００６９】
このように、ユーザによって累積されたコンテンツ情報を受信することにより、受信されたコンテンツ情報の信頼性が保障されるようになる。また、サーバを介さずにユーザ間で直接コンテンツ情報を送受信することにより、Ｓｏｃｉａｌ  Ｎｅｔｗｏｒｋ  Ｓｅｒｖｉｃｅを提供することができるようになる。
【００７０】
以上では、放送コンテンツを受信する放送受信装置の一種としてＴＶを例にとって説明したが、これは説明の便宜のための例示的な事項に過ぎず、放送を送受信できる装置であればＭＰ３、ＰＭＰなどＴＶ以外の装置でも実現できることは勿論である。
【００７１】
そして、放送に対して推薦するコンテンツ情報は、現在放送中のコンテンツに対する情報だけでなく、既に放送されたコンテンツに対する情報と放送予定のコンテンツに対する情報も含むことができる。
【００７２】
また、以上では、一つの外部デバイスからコンテンツ情報を受信する場合を想定したが、複数の外部デバイスから同一のコンテンツに対する複数のコンテンツ情報を受信する場合を想定することができる。この場合、コンテンツ情報が更新され受信される経路が重複すれば、重複する経路を除いてコンテンツ情報を更新したり、より多くのユーザによって検証された信頼性のあるコンテンツ情報を採択する方法として複数のコンテンツ情報を処理できるように実現可能であることは勿論である。
【００７３】
また、以上では、同一の放送コンテンツに対してコンテンツ情報が受信されるものと想定したが、別途の放送コンテンツに対するコンテンツ情報が受信される場合、たとえば、同時間帯の放送コンテンツ又は同種の放送コンテンツに対する複数のコンテンツ情報が受信される場合、これをコンテンツ情報に基づいて整列されるようにすることができる。具体的な例として、同時間帯に放送される「ａ」放送コンテンツ、「ｂ」放送コンテンツ及び「ｃ」放送コンテンツに対して、それぞれ３点、４点及び５点のコンテンツ情報が受信されていると、これを「ｃ」−「ｂ」−「ａ」の順に整列してユーザに提供することにより、ユーザはより直観的にコンテンツ情報を確認し、放送コンテンツの視聴に対するアシストをすることができる。
【００７４】
また、以上では、コンテンツに対してはコンテンツ提供業者またはコンテンツサーバから受信し、コンテンツ情報に対しては外部デバイスから受信するものと想定したが、外部デバイスからコンテンツとコンテンツ情報をともに受信して推薦してもらう場合にも、本発明の技術的な思想がそのまま適用できる。従って、本発明は必ずしも放送を受信する放送受信装置に限られる必要はなく、コンテンツを受信できる装置であれば本発明の適用対象であると言える。
【００７５】
そして、以上では、別途のウィンドウを設けてコンテンツ情報が表示されるものと想定したが、コンテンツ情報に対してはＥＰＧ画面でともに表示されるようにできることは勿論である。
【００７６】
以上の説明のように、本発明によると、ユーザによって累積されたコンテンツ情報を受信することにより、受信されたコンテンツ情報の信頼性が保障されるようにできる。また、サーバを介さずにユーザ間で直接コンテンツ情報を送受信することにより、Ｓｏｃｉａｌ  Ｎｅｔｗｏｒｋ  Ｓｅｒｖｉｃｅを提供することができるようになる。
【００７７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2010268447.tif 000003
【図２】
2010268447.tif 000004
【図３Ａ】
2010268447.tif 000005
【図３Ｂ】
2010268447.tif 000006
【図３Ｃ】
2010268447.tif 000007